(57)【要約】【課題】多層記録可能な光ディスクの記録領域に記録された情報の終端を効率的に特定する。【解決手段】ＤＶＤレコーダ１００のＤＳＰ３２は、記録領域に記録された情報の終端を検索する対象の範囲である検索範囲が含まれる層である検索対象層を判定する検索範囲判定部３２１と、検索対象層が複数であると判定された場合に、光ディスク２の記録領域において予め設定された半径方向の所定位置での、検索対象層に含まれる各層の記録情報の有無を、光ピップアップ１を介して検出する有無検出部３２２と、有無検出部３２２の検出結果に基づいて、次の検出位置を設定する検出位置設定部３２３と、設定された検出位置へ光ピップアップ１を移動する駆動指示部３２４と、を備えている。【選択図】図２
2008262606.tif 000002
【特許請求の範囲】
【請求項１】
光ピップアップを介して予め設定された２以上の所定数の層に記録可能な光ディスクに情報を記録する光ディスク記録装置であって、
前記所定数の層の中から、記録領域に記録された情報の終端を検索する対象の範囲である検索範囲が含まれる層である検索対象層を判定する検索範囲判定手段と、
前記検索範囲判定手段によって検索対象層が複数であると判定された場合に、前記光ディスクの記録領域において予め設定された半径方向の所定位置での、前記検索対象層に含まれる各層の記録情報の有無を、光ピップアップを介して検出する有無検出手段と、
前記有無検出手段の検出結果に基づいて、次の検出位置を設定する検出位置設定手段と、
前記検出位置設定手段によって設定された検出位置へ光ピップアップを移動する駆動手段と、
を備え、
前記有無検出手段は、前記検出位置設定手段によって設定された検出位置において前記検索対象層に含まれる各層の記録情報の有無を検出し、
前記検索範囲判定手段は、前記有無検出手段の検出結果に基づいて、前記検索対象層を判定することを特徴とする光ディスク記録装置。
【請求項２】
前記所定位置は、前記光ディスクの記録領域における半径方向の中央位置であることを特徴とする請求項１に記載の光ディスク記録装置。
【請求項３】
前記光ディスクは、第０層及び第１層からなる２層に記録することが可能に構成されると共に、第０層の内周側から外周側へ順に記録された後、第１層の外周側から内周側へ記録されるものであって、
前記検索範囲判定手段は、
前記有無検出手段によって、第０層の記録情報が無いと検出された場合に、前記検索対象層が第０層であると判定し、
前記有無検出手段によって、第０層及び第１層の記録情報が有ると検出され、且つ、前回の検出において、第０層の記録情報が有り且つ第１層の記録情報が無いと検出された場合に、前記検索対象層が第１層であると判定し、
前記有無検出手段によって、第０層の記録情報が有り且つ第１層の記録情報が無いと検出され、且つ、前回の検出において、第０層及び第１層の記録情報が有ると検出された場合に、前記検索対象層が第１層であると判定することを特徴とする請求項１又は請求項２に記載の光ディスク記録装置。
【請求項４】
前記検出位置設定手段は、
前記有無検出手段によって、第０層及び第１層の記録情報が有ると検出され、且つ、前回の検出において、第０層及び第１層の記録情報が有ると検出された場合に、記録領域の内周端と今回の検出位置との中央位置に次の検出位置を設定し、
前記有無検出手段によって、第０層の記録情報が有り且つ第１層の記録情報が無いと検出され、且つ、前回の検出において、第０層の記録情報が有り且つ第１層の記録情報が無いと検出された場合に、記録領域の外周端と今回の検出位置との中央位置に次の検出位置を設定することを特徴とする請求項３に記載の光ディスク記録装置。
【請求項５】
前回の検出位置と前記検出位置設定手段によって設定された検出位置との間に形成された記録領域の容量が予め設定された所定閾値以下であるか否かを判定する容量判定手段と、
記録情報の終端位置を検出する終端検出手段と、
を備え、
前記有無検出手段は、前記容量判定手段によって所定閾値以下であると判定された場合に、前回の検出位置と前記検出位置設定手段によって設定された検出位置との間に形成された記録領域をセクタ毎に各層の記録情報の有無を検出し、
前記終端検出手段は、前記有無検出手段の検出結果に基づいて、記録情報の終端位置を検出することを特徴とする請求項１〜請求項４のいずれかに記載の光ディスク記録装置。
【請求項６】
前記光ディスクは、ＤＶＤ−Ｒ又はＤＶＤ＋Ｒであることを特徴とする請求項１〜請求項５のいずれかに記載の光ディスク記録装置。
【発明の詳細な説明】
【技術分野】
【０００１】
本発明は、光ピップアップを介して予め設定された２以上の所定数の層に記録可能な光ディスクに情報を記録する光ディスク記録装置に関する。特に、光ピップアップを介して２つの層（＝第０層及び第１層）に記録可能なＤＶＤ（Ｄｉｇｉｔａｌ  Ｖｅｒｓａｔｉｌｅ  Ｄｉｓｋ）−Ｒ（Ｒｅｃｏｒｄａｂｌｅ）又はＤＶＤ＋Ｒに情報を記録するＤＶＤレコーダに関する。
【背景技術】
【０００２】
光ピップアップを介して光ディスクに情報を記録する光ディスク記録装置では、ＣＤ（Ｃｏｍｐａｃｔ  Ｄｉｓｋ）、ＤＶＤ等の光ディスクに音声情報、映像情報等の情報を記録している際に、記録動作の継続が困難な状態（例えば、振動等でトラッキングサーボが外れた場合）が発生すると、記録を中止することがある。このような場合には、光ディスクの記録領域に記録された情報の終端を特定することができないため、情報の終端位置を検出する必要がある。
【０００３】
そこで、光ディスクの記録領域に記録された情報の終端位置を検出するために種々の装置、方法が提案されている。例えば、光ディスク上の検出開始位置と検出終了位置の間のトラック数を１０に等分割し、光ピップアップを移動して分割点におけるデータの記録／未記録を検出開始位置から順次検出し、未記録と読まれた分割点と、この分割点に隣接する記録と読まれた分割点の間の分割領域に、光ディスクに記録されている情報の終端があることを特定する光ディスク装置が開示されている（特許文献１参照）。
【特許文献１】特開２００１−１４７８１号公報
【発明の開示】
【発明が解決しようとする課題】
【０００４】
しかしながら、上記光ディスク装置では、光ディスクが多層記録可能な光ディスクである場合には、記録領域に記録された情報の終端を効率的に特定することが困難である。すなわち、例えば、光ディスクが第０層及び第１層からなる２層に記録することが可能に構成されたＤＶＤ−Ｒ又はＤＶＤ＋Ｒである場合には、記録領域が広い（＝容量が大きい）ため、終端を特定するために光ピップアップを移動する回数が多くなり、記録領域に記録された情報の終端を特定するために要する時間が長くなるのである。
【０００５】
上記の課題に鑑みて、本発明は、多層記録可能な光ディスクの記録領域に記録された情報の終端を効率的に特定することの可能な光ディスク記録装置を提供することを目的としている。
【課題を解決するための手段】
【０００６】
上記目的を達成するために請求項１に記載の光ディスク記録装置は、光ピップアップを介して予め設定された２以上の所定数の層に記録可能な光ディスクに情報を記録する光ディスク記録装置であって、前記所定数の層の中から、記録領域に記録された情報の終端を検索する対象の範囲である検索範囲が含まれる層である検索対象層を判定する検索範囲判定手段と、前記検索範囲判定手段によって検索対象層が複数であると判定された場合に、前記光ディスクの記録領域において予め設定された半径方向の所定位置での、前記検索対象層に含まれる各層の記録情報の有無を、光ピップアップを介して検出する有無検出手段と、前記有無検出手段の検出結果に基づいて、次の検出位置を設定する検出位置設定手段と、前記検出位置設定手段によって設定された検出位置へ光ピップアップを移動する駆動手段と、を備え、前記有無検出手段が、前記検出位置設定手段によって設定された検出位置において前記検索対象層に含まれる各層の記録情報の有無を検出し、前記検索範囲判定手段は、前記有無検出手段の検出結果に基づいて、前記検索対象層を判定することを特徴としている。
【０００７】
請求項２に記載の光ディスク記録装置は、請求項１に記載の光ディスク記録装置であって、前記所定位置が、前記光ディスクの記録領域における半径方向の中央位置であることを特徴としている。
【０００８】
請求項３に記載の光ディスク記録装置は、請求項１又は請求項２に記載の光ディスク記録装置であって、前記光ディスクは、第０層及び第１層からなる２層に記録することが可能に構成されると共に、第０層の内周側から外周側へ順に記録された後、第１層の外周側から内周側へ記録されるものであって、前記検索範囲判定手段が、前記有無検出手段によって、第０層の記録情報が無いと検出された場合に、前記検索対象層が第０層であると判定し、前記有無検出手段によって、第０層及び第１層の記録情報が有ると検出され、且つ、前回の検出において、第０層の記録情報が有り且つ第１層の記録情報が無いと検出された場合に、前記検索対象層が第１層であると判定し、前記有無検出手段によって、第０層の記録情報が有り且つ第１層の記録情報が無いと検出され、且つ、前回の検出において、第０層及び第１層の記録情報が有ると検出された場合に、前記検索対象層が第１層であると判定することを特徴としている。
【０００９】
請求項４に記載の光ディスク記録装置は、請求項３に記載の光ディスク記録装置であって、前記検出位置設定手段が、前記有無検出手段によって、第０層及び第１層の記録情報が有ると検出され、且つ、前回の検出において、第０層及び第１層の記録情報が有ると検出された場合に、記録領域の内周端と今回の検出位置との中央位置に次の検出位置を設定し、前記有無検出手段によって、第０層の記録情報が有り且つ第１層の記録情報が無いと検出され、且つ、前回の検出において、第０層の記録情報が有り且つ第１層の記録情報が無いと検出された場合に、記録領域の外周端と今回の検出位置との中央位置に次の検出位置を設定することを特徴としている。
【００１０】
請求項５に記載の光ディスク記録装置は、請求項１〜請求項４のいずれかに記載の光ディスク記録装置であって、前回の検出位置と前記検出位置設定手段によって設定された検出位置との間に形成された記録領域の容量が予め設定された所定閾値以下であるか否かを判定する容量判定手段と、記録情報の終端位置を検出する終端検出手段と、備え、前記有無検出手段が、前記容量判定手段によって所定閾値以下であると判定された場合に、前回の検出位置と前記検出位置設定手段によって設定された検出位置との間に形成された記録領域をセクタ毎に各層の記録情報の有無を検出し、前記終端検出手段が、前記有無検出手段の検出結果に基づいて、記録情報の終端位置を検出することを特徴としている。
【００１１】
請求項６に記載の光ディスク記録装置は、請求項１〜請求項５のいずれかに記載の光ディスク記録装置であって、前記光ディスクが、ＤＶＤ−Ｒ又はＤＶＤ＋Ｒであることを特徴としている。
【発明の効果】
【００１２】
請求項１に記載の光ディスク記録装置によれば、所定数の層の中から、記録領域に記録された情報の終端を検索する対象の範囲である検索範囲が含まれる層である検索対象層が判定され、検索対象層が複数であると判定された場合に、光ディスクの記録領域において予め設定された半径方向の所定位置での、検索対象層に含まれる各層の記録情報の有無が、光ピップアップを介して検出される。そして、その検出結果に基づいて、検索対象層が判定されると共に、次の検出位置が設定され、設定された検出位置へ光ピップアップが移動され、設定された検出位置において検索対象層に含まれる各層の記録情報の有無が検出されるため、多層記録可能な光ディスクの記録領域に記録された情報の終端を効率的に特定することができる。
【００１３】
すなわち、記録領域に記録された情報の終端を検索する対象の範囲である検索範囲が含まれる層である検索対象層が複数であると判定された場合に、検索対象層に含まれる各層の記録情報の有無に基づいて、検索対象層が判定されると共に、次の検出位置が設定されるため、検出位置を適正な位置に移動させることができるので、多層記録可能な光ディスクの記録領域に記録された情報の終端を効率的に特定することができるのである。
【００１４】
つまり、１層の記録情報の有無に基づいて、次の検出位置を設定する場合には、光ピップアップを広い範囲で移動させる必要があるが、検索対象層に含まれる各層の記録情報の有無に基づいて、次の検出位置が設定されるため、光ピップアップの移動距離を短くすることができるので、多層記録可能な光ディスクの記録領域に記録された情報の終端を効率的に特定することができるのである。
【００１５】
請求項２に記載の光ディスク記録装置によれば、所定位置が、光ディスクの記録領域における半径方向の中央位置であるため、多層記録可能な光ディスクの記録領域に記録された情報の終端を更に効率的に特定することができる。
【００１６】
すなわち、まず、光ディスクの記録領域における半径方向の中央位置において記録情報の有無が検出されるため、その検出結果に基づいて、２回目以降の検出領域を、記録領域における半径方向の中央位置の外周側又は記録領域における半径方向の中央位置の内周側に設定することができるので、多層記録可能な光ディスクの記録領域に記録された情報の終端を更に効率的に特定することができるのである。
【００１７】
請求項３に記載の光ディスク記録装置によれば、光ディスクが、第０層及び第１層からなる２層に記録することが可能に構成されると共に、第０層の内周側から外周側へ順に記録された後、第１層の外周側から内周側へ記録されるものであって、第０層の記録情報が無いと検出された場合に、検索対象層が第０層であると判定され、第０層及び第１層の記録情報が有ると検出され、且つ、前回の検出において、第０層の記録情報が有り且つ第１層の記録情報が無いと検出された場合に、検索対象層が第１層であると判定され、第０層の記録情報が有り且つ第１層の記録情報が無いと検出され、且つ、前回の検出において、第０層及び第１層の記録情報が有ると検出された場合に、検索対象層が第１層であると判定されるため、第０層及び第１層からなる２層に記録することが可能に構成されると共に、第０層の内周側から外周側へ順に記録された後、第１層の外周側から内周側へ記録される光ディスクの記録領域に記録された情報の終端を効率的に特定することができる。
【００１８】
すなわち、第０層の記録情報が無いと検出された場合に、検索対象層が第０層であると判定され、第０層及び第１層の記録情報が有ると検出され、且つ、前回の検出において、第０層の記録情報が有り且つ第１層の記録情報が無いと検出された場合に、検索対象層が第１層であると判定され、第０層の記録情報が有り且つ第１層の記録情報が無いと検出され、且つ、前回の検出において、第０層及び第１層の記録情報が有ると検出された場合に、検索対象層が第１層であると判定されるため、検索対象層が複数であるか否かを適正に判定することができるので、第０層及び第１層からなる２層に記録することが可能に構成されると共に、第０層の内周側から外周側へ順に記録された後、第１層の外周側から内周側へ記録される光ディスクの記録領域に記録された情報の終端を効率的に特定することができるのである。
【００１９】
請求項４に記載の光ディスク記録装置によれば、第０層及び第１層の記録情報が有ると検出され、且つ、前回の検出において、第０層及び第１層の記録情報が有ると検出された場合に、記録領域の内周端と今回の検出位置との中央位置に次の検出位置が設定され、第０層の記録情報が有り且つ第１層の記録情報が無いと検出され、且つ、前回の検出において、第０層の記録情報が有り且つ第１層の記録情報が無いと検出された場合に、記録領域の外周端と今回の検出位置との中央位置に次の検出位置が設定されるため、第０層及び第１層からなる２層に記録することが可能に構成されると共に、第０層の内周側から外周側へ順に記録された後、第１層の外周側から内周側へ記録される光ディスクの記録領域に記録された情報の終端を更に効率的に特定することができる。
【００２０】
すなわち、第０層及び第１層の記録情報が有ると検出され、且つ、前回の検出において、第０層及び第１層の記録情報が有ると検出された場合に、記録領域の内周端と今回の検出位置との中央位置に次の検出位置が設定され、第０層の記録情報が有り且つ第１層の記録情報が無いと検出され、且つ、前回の検出において、第０層の記録情報が有り且つ第１層の記録情報が無いと検出された場合に、記録領域の外周端と今回の検出位置との中央位置に次の検出位置が設定されるため、記録情報の有無を１回検出する度に終端位置を検索する半径方向の範囲を１／２に縮小する（＝検索する記録領域を１／２に縮小する）ことができるので、第０層及び第１層からなる２層に記録することが可能に構成されると共に、第０層の内周側から外周側へ順に記録された後、第１層の外周側から内周側へ記録される光ディスクの記録領域に記録された情報の終端を更に効率的に特定することができるのである。
【００２１】
請求項５に記載の光ディスク記録装置によれば、前回の検出位置と設定された検出位置との間に形成された記録領域の容量が予め設定された所定閾値以下であるか否かが判定され、所定閾値以下であると判定された場合に、前回の検出位置と設定された検出位置との間に形成された記録領域がセクタ毎に各層の記録情報の有無が検出され、その検出結果に基づいて記録情報の終端位置が検出されるため、多層記録可能な光ディスクの記録領域に記録された情報の終端を更に効率的に特定することができる。
【００２２】
すなわち、所定閾値を適正な値（例えば、１００セクタ）に設定することによって、設定された検出位置で記録情報の有無を検出する方式からセクタ毎連続して記録情報の有無を検出する方式へ適正なタイミングで切り換えられるため、多層記録可能な光ディスクの記録領域に記録された情報の終端を更に効率的に特定することができるのである。
【００２３】
請求項６に記載の光ディスク記録装置によれば、光ディスクがＤＶＤ−Ｒ又はＤＶＤ＋Ｒであるため、光ディスクの記録領域に記録された情報の終端を効率的に特定する効果が更に増大する。
【００２４】
すなわち、光ディスクがＤＶＤ−Ｒ又はＤＶＤ＋Ｒである場合には、光ディスクへの記録が１回限りであるため、他の種類の光ディスクと比較して、上書き及び未記録領域の発生を確実に防止する必要があるので、記録領域に記録された情報の終端を正確に特定する必要があるのである。
【発明を実施するための最良の形態】
【００２５】
以下に本発明の実施形態を、図面を参照しながら説明する。図１は、本発明に係るＤＶＤレコーダの一例を示す構成図である。ＤＶＤレコーダ１００（光ディスク記録装置に相当する）は、本発明に係る光ピックアップ１、出力装置３、制御装置４、駆動装置５、表示部６及び操作部７を備えている。
【００２６】
また、ＤＶＤレコーダ１００は、テレビ受像機２００と通信可能に構成されている。テレビ受像機２００は、スピーカ及びモニタ（図示省略）を備え、テレビジョン放送を受信して、受信された映像情報をＤＶＤレコーダ１００へ出力すると共に、ＤＶＤレコーダ１００からの音声情報、映像情報等の情報を、スピーカ及びモニタを介して出力するものである。
【００２７】
光ピックアップ１は、ＣＤ用ＬＤ（Ｌａｓｅｒ  Ｄｉｏｄｅ）及びＤＶＤ用ＬＤを備え、再生する対象の光ディスク２（ＣＤ又はＤＶＤ）からの反射光を電気信号に変換し、光ディスク２（ＣＤ、又は、ＤＶＤ）に格納された音声情報、映像情報等の各種情報の読み取りを行うと共に、音声情報、映像情報等の各種情報の光ディスク２（ＣＤ、又は、ＤＶＤ）への書き込みを行うものである。ＣＤ用ＬＤは、ＣＤに格納された情報を読み取ると共に、情報をＣＤへ書き込むレーザ光を照射するものである。ＤＶＤ用ＬＤは、ＤＶＤに格納された情報を読み取ると共に、情報をＤＶＤへ書き込むレーザ光を照射するものである。また、光ピックアップ１は、スレッドモータ５１によって、光ディスク２の径方向、及び、垂直方向（近接、離間方向）に移動可能に構成されている。
【００２８】
ＤＶＤレコーダ１００に載置される光ディスク２は、ここでは、ＤＶＤ−Ｒ又はＤＶＤ＋Ｒであって、第０層及び第１層からなる２層に記録することが可能に構成されると共に、第０層の内周側から外周側へ順に記録された後、第１層の外周側から内周側へ記録されるものである（図３、図４参照）。
【００２９】
出力装置３は、光ピックアップ１からの音声情報、映像情報等の情報を、音声及び画像に変換して、それぞれ、テレビ受像機２００に配設された図略のスピーカ及びモニタに出力すると共に、テレビ受像機２００からの音声情報、映像情報等の情報を変換して、光ピックアップ１へ出力するものであって、ＲＦアンプ３１、ＤＳＰ（Ｄｉｇｉｔａｌ  Ｓｉｇｎａｌ  Ｐｒｏｃｅｓｓｏｒ）３２、再生処理回路３３、及び、出力回路３４を備えている。ＲＦアンプ３１は、光ピックアップ１からの音声情報、映像情報等に対応する信号を増幅するものである。
【００３０】
ＤＳＰ３２及び再生処理回路３３は、ＲＦアンプ３１からの信号に対して、再生のための各種情報処理（例えば画像処理等）を施すものである。出力回路３４は、再生処理回路３３からの情報を、テレビ受像機２００に配設された図略のスピーカ及びモニタに出力するためにＤＡ変換処理等を行うものである。また、ＤＳＰ３２は、テレビ受像機２００からの情報を変換するものである。
【００３１】
制御装置４は、操作部７を介して受け付けた指示操作に基づいて、光ピックアップ１及び駆動装置５の動作を制御するものであって、システムコントローラ４１、及びドライバＩＣ４２を備えている。システムコントローラ４１は、操作部７からの情報を受け付けてＤＳＰ３２に伝送すると共に、ＤＳＰ３２からの情報を表示部６に伝送するものである。
【００３２】
ドライバＩＣ４２（駆動手段の一部に相当する）は、ＤＳＰ３２からの指示に基づいて、光ピックアップ１及び駆動装置５の動作を制御するものである。具体的には、ドライバＩＣ４２は、光ピックアップ１に配設されたＣＤ用ＬＤ及びＤＶＤ用ＬＤの動作を制御すると共に、駆動装置５を構成するスレッドモータ５１及びスピンドルモータ５２の動作を制御するものである。
【００３３】
駆動装置５は、スレッドモータ５１及びスピンドルモータ５２を備える。スレッドモータ５１（駆動手段の一部に相当する）は、ドライバＩＣ４２からの指示に基づいて光ピックアップ１を光ディスク２の径方向及び垂直方向に移動させるものである。スピンドルモータ５２は、ドライバＩＣ４２からの指示に基づいて光ディスク２を回転駆動するものである。
【００３４】
表示部６は、ＬＣＤ（Ｌｉｑｕｉｄ  Ｃｒｙｓｔａｌ  Ｄｉｓｐｌａｙ）等を備え、ＤＳＰ３２からの情報を外部から視認可能に表示するものである。操作部７は、種々の操作ボタン等を備え、ユーザからの操作を受け付けて、ＤＳＰ３２に対応する操作信号を出力するものである。
【００３５】
図２は、ＤＶＤレコーダ１００（ＤＳＰ３２）における主要部の機能構成の一例を示す構成図である。ＤＳＰ３２は、機能的に、検索範囲判定部３２１、有無検出部３２２、検出位置設定部３２３、駆動指示部３２４、容量判定部３２５、及び、終端検出部３２６を備えている。
【００３６】
ここでは、ＤＳＰ３２が、図略のＲＯＭ（Ｒｅａｄ  Ｏｎｌｙ  Ｍｅｍｏｒｙ）等に予め格納されたプログラムを読み出して実行することにより、検索範囲判定部３２１、有無検出部３２２、検出位置設定部３２３、駆動指示部３２４、容量判定部３２５、終端検出部３２６等の機能部として機能するものである。
【００３７】
また、図略のＲＡＭ（Ｒａｎｄｏｍ  Ａｃｃｅｓｓ  Ｍｅｍｏｒｙ）又はＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００３８】
検索範囲判定部３２１（検索範囲判定手段に相当する）は、有無検出部３２２の検出結果に基づいて、第０層及び第１層の中から、記録領域に記録された情報の終端を検索する対象の範囲である検索範囲が含まれる層である検索対象層を判定するものである。
【００３９】
具体的には、検索範囲判定部３２１は、有無検出部３２２によって、第０層及び第１層の記録情報が無いと検出された場合に、検索範囲が第０層と第１層との間に跨るものではないと判定する（＝検索対象層が第０層である）と判定するものである。
【００４０】
また、検索範囲判定部３２１は、有無検出部３２２によって、前回の検出において、第０層及び第１層の記録情報があると検出され、且つ、今回の検出において、第０層の記録情報が有り且つ第１層の記録情報が無いと検出された場合に、検索範囲が第０層と第１層との間に跨るものではないと判定する（＝検索対象層が第１層である）と判定するものである。
【００４１】
更に、検索範囲判定部３２１は、有無検出部３２２によって、前回の検出において第０層の記録情報が有り且つ第１層の記録情報が無いと検出され、今回の検出において、第０層及び第１層の記録情報が有ると検出された場合に、検索範囲が第０層と第１層との間に跨るものではないと判定する（＝検索対象層が第１層である）と判定するものである。
【００４２】
有無検出部３２２（有無検出手段に相当する）は、光ディスク２（ここでは、ＤＶＤ−Ｒ又はＤＶＤ＋Ｒ）の記録領域において予め設定された半径方向の所定位置又は検出位置設定手段によって設定された検出位置での各層（ここでは、第０層及び第１層）の記録情報の有無を、光ピップアップ１を介して検出するものである。
【００４３】
ただし、有無検出部３２２は、検出位置設定部３２３によって、検索範囲（＝記録領域に記録された情報の終端を検索する対象の範囲）が第０層と第１層との間に跨るものではないと判定された場合には、検索範囲が含まれる層（第０層又は第１層）の記録情報の有無を、光ピップアップ１を介して検出するものである。
【００４４】
また、有無検出部３２２は、容量判定部３２５によって所定閾値（ここでは、１００セクタ）以下であると判定された場合に、前回の検出位置と検出位置設定部３２３によって設定された検出位置との間に形成された記録領域をセクタ毎に各層の記録情報の有無を検出するものである。
【００４５】
検出位置設定部３２３（検出位置設定手段に相当する）は、有無検出部３２２の検出結果に基づいて、次の検出位置を設定するものである。また、検出位置設定部３２３、１回目の検出位置を、光ディスク２の記録領域における半径方向の中央位置に設定するものである。
【００４６】
また、検出位置設定部３２３は、有無検出部３２２によって、第０層及び第１層の記録情報が有ると検出され、且つ、前回の検出において、第０層及び第１層の記録情報が有ると検出された場合に、記録領域の内周端の位置ＰＩと今回の検出位置との中央位置に次の検出位置を設定するものである（図３参照）。
【００４７】
更に、検出位置設定部３２３は、有無検出部３２２によって、第０層の記録情報が有り且つ第１層の記録情報が無いと検出され、且つ、前回の検出において、第０層の記録情報が有り且つ第１層の記録情報が無いと検出された場合に、記録領域の外周端の位置ＰＯと今回の検出位置との中央位置に次の検出位置を設定するものである（図４参照）。
【００４８】
また、検出位置設定部３２３は、検索範囲が第０層と第１層との間に跨るものではない（＝検索対象層が第０層又は第１層である）と判定された場合に、検索範囲がある側の層（＝検索対象層）における有無検出部３２２による検出結果に基づいて、次の検出位置を設定するものである。
【００４９】
具体的には、検索範囲判定部３２１によって検索対象層が第０層であると判定された場合には、検出位置設定部３２３は、以下の処理を行うものである。前回の検出位置において記録情報が有ると判定され且つ今回の検出位置において記録情報が無いと判定された場合、又は、前回の検出位置において記録情報が無いと判定され且つ今回の検出位置において記録情報が有ると判定された場合には前回の検出位置と今回の検出位置との中央位置に次回の検出位置を設定する。
【００５０】
また、前回の検出位置において記録情報が有ると判定され、且つ、今回の検出位置において記録情報が有ると判定された場合には、前々回の検出位置と今回の検出位置との中央位置に次回の検出位置を設定するものである。更に、前回の検出位置において記録情報が無いと判定され、且つ、今回の検出位置において記録情報が無いと判定された場合には、前々回の検出位置と今回の検出位置との中央位置に次回の検出位置を設定するものである。
【００５１】
また、検索範囲判定部３２１によって検索対象層が第１層であると判定された場合には、検出位置設定部３２３は、以下の処理を行うものである。前回の検出位置において記録情報が有ると判定され且つ今回の検出位置において記録情報が無いと判定された場合、又は、前回の検出位置において記録情報が無いと判定され且つ今回の検出位置において記録情報が有ると判定された場合には前回の検出位置と今回の検出位置との中央位置に次回の検出位置を設定する。
【００５２】
また、前回の検出位置において記録情報が有ると判定され、且つ、今回の検出位置において記録情報が有ると判定された場合には、前々回の検出位置と今回の検出位置との中央位置に次回の検出位置を設定するものである。更に、前回の検出位置において記録情報が無いと判定され、且つ、今回の検出位置において記録情報が無いと判定された場合には、前々回の検出位置と今回の検出位置との中央位置に次回の検出位置を設定するものである。
【００５３】
図３、図４は、検出位置設定部３２３によって設定される検出位置の一例を示す図である。（ａ）は、記録情報が格納された記憶領域（＝有無検出部３２２によって記憶情報が有りと判定される記憶領域：図の斜線部）を示す図であり、（ｂ）は、検索範囲（＝記録領域に記録された情報の終端を検索する対象の範囲）を示す図であり、（ｃ）は、駆動指示部３２４によって光ピックアップ１が移動される位置を示す図である。
【００５４】
図３（ａ）（又は図４（ａ））に示すように、ＤＶＤ−Ｒ２は、第０層（ここでは、「Ｌａｙｅｒ０」と記載）及び第１層（ここでは、「Ｌａｙｅｒ１」と記載）からなる２層に記録することが可能に構成されると共に、第０層の内周側から外周側へ順に記録された後、第１層の外周側から内周側へ記録されるものである。
【００５５】
ここでは、図３（ａ）に示すように、ＤＶＤ−Ｒ２の第０層には全体に記録情報が格納されており、第１層には終端（内周端）近傍位置まで記録情報が格納されている。従って、有無検出部３２２によって第０層及び第１層の記録情報が有ると検出されるため、図３（ｃ）に示すように、検出位置設定部３２３によって、順次、記録領域の内周端側（図の左側）に次の検出位置（２回目以降の検出位置Ｐ１２〜Ｐ１４）が設定されている。
【００５６】
また、２回目以降の検出位置Ｐ１２〜Ｐ１４は、検出位置設定部３２３によって、記録領域の内周端の位置ＰＩと、前回の検出位置Ｐ１１〜Ｐ１３との中央位置に設定されている。例えば、３回目の検出位置Ｐ１３は、記録領域の内周端の位置ＰＩと、前回の検出位置Ｐ１２との中央位置に設定されている。
【００５７】
他の一例として、図４（ａ）に示すように、ＤＶＤ−Ｒ２の第０層には終端（内周端）近傍位置まで記録情報が格納されており、第１層には記録情報が格納されていない。従って、有無検出部３２２によって第０層には記録情報が有ると検出され、第１層には記録情報が無いと検出されるため、図４（ｃ）に示すように、検出位置設定部３２３によって、順次、記録領域の外周端側（図の右側）に次の検出位置（２回目以降の検出位置Ｐ２２〜Ｐ２４）が設定されている。
【００５８】
また、２回目以降の検出位置Ｐ２２〜Ｐ２４は、検出位置設定部３２３によって、記録領域の外周端の位置ＰＯと、前回の検出位置Ｐ２１〜Ｐ２３との中央位置に設定されている。例えば、４回目の検出位置Ｐ２４は、記録領域の外周端の位置ＰＯと、前回の検出位置Ｐ２３との中央位置に設定されている。
【００５９】
再び、図２を用いて、ＤＳＰ３２の機能構成について説明する。駆動指示部３２４（駆動手段の一部に相当する）は、検出位置設定部３２３によって設定された検出位置へ、ドライバＩＣ４２及びスレッドモータ５１を介して、光ピップアップ１を移動するものである。
【００６０】
容量判定部３２５（容量判定手段に相当する）は、前回の検出位置と検出位置設定部３２３によって設定された検出位置との間に形成された記録領域（＝検索範囲：記録領域に記録された情報の終端を検索する対象の範囲）の容量が予め設定された所定閾値（ここでは、１００セクタ）以下であるか否かを判定するものである。
【００６１】
終端検出部３２６（終端検出手段に相当する）は、有無検出部３２２の検出結果に基づいて、記録情報の終端位置を検出するものである。
【００６２】
図５は、本発明に係るＤＶＤレコーダ１００（主にＤＳＰ３２）の動作の一例を示すフローチャートである。まず、容量判定部３２５によって、検索範囲の容量が所定閾値（ここでは、１００セクタ）以下であるか否かの判定が行われる（Ｓ１０１）。所定閾値以下ではない（＝所定閾値より大きい）と判定された場合（Ｓ１０１でＮＯ）には、設定された検出位置で記録情報の有無を検出する処理である粗検索処理が行われ（Ｓ１０３）、処理がステップＳ１０１に戻され、ステップＳ１０１以降の処理が繰り返し実行される。
【００６３】
所定閾値以下であると判定された場合（Ｓ１０１でＹＥＳ）には、有無検出部３２２によって、セクタ毎に各層の記録情報の有無が検出される（Ｓ１０５）。そして、終端検出部３２６によって記録情報の終端位置が検出されたか否かが判定される（Ｓ１０７）。終端位置が検出されたと判定された場合（Ｓ１０７でＹＥＳ）には、処理が終了される。終端位置が検出されていないと判定された場合（Ｓ１０７でＮＯ）には、処理がステップＳ１０５に戻され、ステップＳ１０５以降の処理が繰り返し実行される。
【００６４】
図６〜図８は、図５に示すフローチャートのステップＳ１０３において実行される粗検索処理の一例を示すフローチャートである。まず、図６に示すように、検索範囲判定部３２１によって、検索範囲が第０層と第１層との間に跨るか否かの判定が行われる（Ｓ２０１）。第０層と第１層との間に跨らないと判定された場合（Ｓ２０１でＮＯ）には、図７に示すステップＳ２２５に処理が進められる。第０層と第１層との間に跨ると判定された場合（Ｓ２０１でＹＥＳ）には、有無検出部３２２によって、第０層の記録情報の有無が検出される（Ｓ２０３）。そして、検出位置設定部３２３によって、第０層の記録情報が有るか否かの判定が行われる（Ｓ２０５）。記録信号が無いと判定された場合（Ｓ２０５でＮＯ）には、検索範囲判定部３２１によって、検索対象層が第０層であると判定され（Ｓ２０７）、処理が図７に示すステップＳ２３７へ進められる。
【００６５】
記録信号が有ると判定された場合（Ｓ２０５でＹＥＳ）には、有無検出部３２２によって、第１層の記録情報の有無が検出される（Ｓ２０９）。そして、検出位置設定部３２３によって、第１層の記録情報が有るか否かの判定が行われる（Ｓ２１１）。第１層の記録情報が無いと判定された場合（Ｓ２０９でＮＯ）には、処理がステップＳ２１９に進められる。第１層の記録情報が有ると判定された場合（Ｓ２０９でＹＥＳ）には、検索範囲判定部３２１によって、前回の検出においても第１層の記録情報が有ったか否かの判定が行われる（Ｓ２１３）。
【００６６】
前回の検出においては第１層の記録情報が無かったと判定された場合（Ｓ２１３でＮＯ）には、検索範囲判定部３２１によって、検索対象層が第１層であると判定され（Ｓ２１５）、処理が図８に示すステップＳ２５１へ進められる。前回の検出においても第１層の記録情報が有ったと判定された場合（Ｓ２１３でＹＥＳ）には、検出位置設定部３２３によって、記録領域の内周端の位置ＰＩと今回の検出位置との中央位置に次の検出位置が設定され、駆動指示部３２４によって設定された検出位置へ光ピップアップ１が移動され（Ｓ２１７）、処理がリターンされる。
【００６７】
ステップＳ２１１でＮＯの場合には、検索範囲判定部３２１によって、前回の検出においても第１層の記録情報が無かったか否かの判定が行われる（Ｓ２１９）。前回の検出においては第１層の記録情報が有ったと判定された場合（Ｓ２１９でＮＯ）には、検索範囲判定部３２１によって、検索対象層が第１層であると判定され（Ｓ２２１）、処理が図８に示すステップＳ２５７へ進められる。前回の検出においても第１層の記録情報が無かったと判定された場合（Ｓ２１９でＹＥＳ）には、検出位置設定部３２３によって、記録領域の外周端の位置ＰＯと今回の検出位置との中央位置に次の検出位置が設定され、駆動指示部３２４によって設定された検出位置へ光ピップアップ１が移動され（Ｓ２２３）、処理がリターンされる。
【００６８】
ステップＳ２０１でＮＯの場合（＝検索対象層が第０層であるか、又は、検索対象層が第１層である場合）には、図７に示すように、検索範囲判定部３２１によって、検索対象層が第０層であるか否か（＝検索対象層が第０層であるか、又は、検索対象層が第１層であるか）の判定が行われる（Ｓ２２５）。検索対象層が第０層ではない（＝検索対象層が第１層である）と判定された場合（Ｓ２２５でＮＯ）には、処理が図８に示すステップＳ２４３に進められる。検索対象層が第０層であると判定された場合（Ｓ２２５でＹＥＳ）には、有無検出部３２２によって、第０層の記録情報の有無が検出される（Ｓ２２７）。そして、検出位置設定部３２３によって、第０層の記録情報が有るか否かの判定が行われる（Ｓ２２９）。記録情報が無いと判定された場合（Ｓ２２９でＮＯ）には、処理がステップＳ２３７へ進められる。記録情報が有ると判定された場合（Ｓ２２９でＹＥＳ）には、検出位置設定部３２３によって、前回の検出においても第０層の記録情報が有ったか否かの判定が行われる（Ｓ２３１）。
【００６９】
前回の検出においても第０層の記録情報が有ったと判定された場合（Ｓ２３１でＹＥＳ）には、検出位置設定部３２３によって、今回の検出位置と、前回以前に検出された外周側検出位置（＝第０層の記録情報が無いと検出された検出位置）との中央位置に次の検出位置が設定され、駆動指示部３２４によって設定された検出位置へ光ピップアップ１が移動され（Ｓ２３３）、処理がリターンされる。前回の検出においては第０層の記録情報が無かったと判定された場合（Ｓ２３１でＮＯ）には、検出位置設定部３２３によって、今回の検出位置と、前回の検出位置との中央位置に次の検出位置が設定され、駆動指示部３２４によって設定された検出位置へ光ピップアップ１が移動され（Ｓ２３５）、処理がリターンされる。
【００７０】
ステップＳ２２９でＮＯの場合（第０層の記録情報が無いと判定された場合）、又は、図６に示すステップＳ２０７の処理が終了した場合には、検出位置設定部３２３によって、前回の検出においても第０層の記録情報が無かったか否かの判定が行われる（Ｓ２３７）。前回の検出においても第０層の記録情報が無かったと判定された場合（Ｓ２２７でＹＥＳ）には、検出位置設定部３２３によって、今回の検出位置と、前回以前に検出された内周側検出位置（＝第０層の記録情報が有ると検出された検出位置）との中央位置に次の検出位置が設定され、駆動指示部３２４によって設定された検出位置へ光ピップアップ１が移動され（Ｓ２３９）、処理がリターンされる。前回の検出においては第０層の記録情報が有ったと判定された場合（Ｓ２３７でＮＯ）には、検出位置設定部３２３によって、今回の検出位置と、前回の検出位置との中央位置に次の検出位置が設定され、駆動指示部３２４によって設定された検出位置へ光ピップアップ１が移動され（Ｓ２４１）、処理がリターンされる。
【００７１】
ステップＳ２２５でＮＯの場合（＝検索対象層が第１層であると判定された場合）には、図８に示すように、有無検出部３２２によって、第１層の記録情報の有無が検出される（Ｓ２４３）。そして、検出位置設定部３２３によって、第１層の記録情報が有るか否かの判定が行われる（Ｓ２４５）。記録情報が無いと判定された場合（Ｓ２４５でＮＯ）には、処理がステップＳ２５３へ進められる。記録情報が有ると判定された場合（Ｓ２４５でＹＥＳ）には、検出位置設定部３２３によって、前回の検出においても第１層の記録情報が有ったか否かの判定が行われる（Ｓ２４７）。
【００７２】
前回の検出においても第１層の記録情報が有ったと判定された場合（Ｓ２４７でＹＥＳ）には、検出位置設定部３２３によって、今回の検出位置と、前回以前に検出された内周側検出位置（＝第１層の記録情報が無いと検出された検出位置）との中央位置に次の検出位置が設定され、駆動指示部３２４によって設定された検出位置へ光ピップアップ１が移動され（Ｓ２４９）、処理がリターンされる。前回の検出においては第１層の記録情報が無かったと判定された場合（Ｓ２４７でＮＯ）、又は、図６に示すステップＳ２１５の処理が終了した場合には、検出位置設定部３２３によって、今回の検出位置と、前回の検出位置との中央位置に次の検出位置が設定され、駆動指示部３２４によって設定された検出位置へ光ピップアップ１が移動され（Ｓ２５１）、処理がリターンされる。
【００７３】
ステップＳ２４５でＮＯの場合（第１層の記録情報が無いと判定された場合）には、検出位置設定部３２３によって、前回の検出においても第１層の記録情報が無かったか否かの判定が行われる（Ｓ２５３）。前回の検出においても第１層の記録情報が無かったと判定された場合（Ｓ２５３でＹＥＳ）には、検出位置設定部３２３によって、今回の検出位置と、前回以前に検出された内周側検出位置（＝第１層の記録情報が有ると検出された検出位置）との中央位置に次の検出位置が設定され、駆動指示部３２４によって設定された検出位置へ光ピップアップ１が移動され（Ｓ２５５）、処理がリターンされる。前回の検出においては第１層の記録情報が有ったと判定された場合（Ｓ２５３でＮＯ）、又は、図６に示すステップＳ２２１の処理が終了した場合には、検出位置設定部３２３によって、今回の検出位置と、前回の検出位置との中央位置に次の検出位置が設定され、駆動指示部３２４によって設定された検出位置へ光ピップアップ１が移動され（Ｓ２５７）、処理がリターンされる。
【００７４】
このようにして、所定数（ここでは、第０層及び第１層の２つの層）の層の中から、記録領域に記録された情報の終端を検索する対象の範囲である検索範囲が含まれる層である検索対象層が判定され、検索対象層が複数である（ここでは、第０層及び第１層の２つの層である）と判定された場合に、光ディスク２の記録領域において予め設定された半径方向の所定位置での、検索対象層に含まれる各層の記録情報の有無が、光ピップアップ１を介して検出される。そして、その検出結果に基づいて、検索対象層が判定されると共に、次の検出位置が設定され、設定された検出位置へ光ピップアップ１が移動され、設定された検出位置において検索対象層に含まれる各層の記録情報の有無が検出されるため、多層記録可能な光ディスクの記録領域に記録された情報の終端を効率的に特定することができる。
【００７５】
すなわち、記録領域に記録された情報の終端を検索する対象の範囲である検索範囲が含まれる層である検索対象層が複数である（ここでは、第０層及び第１層の２つの層である）と判定された場合に、検索対象層に含まれる各層の記録情報の有無に基づいて、検索対象層が判定されると共に、次の検出位置が設定されるため、検出位置を適正な位置に移動させることができるので、多層記録可能な光ディスク２の記録領域に記録された情報の終端を効率的に特定することができるのである。
【００７６】
つまり、１層（ここでは、第０層又は第１層）の記録情報の有無に基づいて、次の検出位置を設定する場合には、光ピップアップ１を広い範囲で移動させる必要があるが、検索対象層に含まれる各層の記録情報の有無に基づいて、次の検出位置が設定されるため、光ピップアップ１の移動距離を短くすることができるので、多層記録可能な光ディスク２の記録領域に記録された情報の終端を効率的に特定することができるのである。
【００７７】
また、第１回目の検出位置である所定位置が、光ディスク２の記録領域における半径方向の中央位置であるため、多層記録可能な光ディスク２の記録領域に記録された情報の終端を更に効率的に特定することができる。
【００７８】
すなわち、まず、光ディスク２の記録領域における半径方向の中央位置において記録情報の有無が検出されるため、その検出結果に基づいて、２回目以降の検出領域を、記録領域における半径方向の中央位置の外周側又は記録領域における半径方向の中央位置の内周側に設定することができるので、多層記録可能な光ディスク２の記録領域に記録された情報の終端を更に効率的に特定することができるのである。
【００７９】
更に、光ディスク２が、第０層及び第１層からなる２層に記録することが可能に構成されると共に、第０層の内周側から外周側へ順に記録された後、第１層の外周側から内周側へ記録されるものであって、第０層の記録情報が無いと検出された場合に、検索対象層が第０層であると判定され（図６のステップＳ２０７参照）、第０層及び第１層の記録情報が有ると検出され、且つ、前回の検出において、第０層の記録情報が有り且つ第１層の記録情報が無いと検出された場合に、検索対象層が第１層であると判定され（図６のステップＳ２１５参照）、第０層の記録情報が有り且つ第１層の記録情報が無いと検出され、且つ、前回の検出において、第０層及び第１層の記録情報が有ると検出された場合に、検索対象層が第１層であると判定される（図６のステップＳ２２１参照）ため、第０層及び第１層からなる２層に記録することが可能に構成されると共に、第０層の内周側から外周側へ順に記録された後、第１層の外周側から内周側へ記録される光ディスク２（ここでは、ＤＶＤ−Ｒ）の記録領域に記録された情報の終端を効率的に特定することができる。
【００８０】
すなわち、第０層の記録情報が無いと検出された場合に、検索対象層が第０層であると判定され（図６のステップＳ２０７参照）、第０層及び第１層の記録情報が有ると検出され、且つ、前回の検出において、第０層の記録情報が有り且つ第１層の記録情報が無いと検出された場合に、検索対象層が第１層であると判定され（図６のステップＳ２１５参照）、第０層の記録情報が有り且つ第１層の記録情報が無いと検出され、且つ、前回の検出において、第０層及び第１層の記録情報が有ると検出された場合に、検索対象層が第１層であると判定される（図６のステップＳ２２１参照）ため、検索対象層が複数であるか否かを適正に判定することができるので、第０層及び第１層からなる２層に記録することが可能に構成されると共に、第０層の内周側から外周側へ順に記録された後、第１層の外周側から内周側へ記録される光ディスク２（ここでは、ＤＶＤ−Ｒ）の記録領域に記録された情報の終端を効率的に特定することができるのである。
【００８１】
加えて、第０層及び第１層の記録情報が有ると検出され、且つ、前回の検出において、第０層及び第１層の記録情報が有ると検出された場合に、記録領域の内周端の位置ＰＩと今回の検出位置との中央位置に次の検出位置が設定され（図３及び図６のステップＳ２１７参照）、第０層の記録情報が有り且つ第１層の記録情報が無いと検出され、且つ、前回の検出において、第０層の記録情報が有り且つ第１層の記録情報が無いと検出された場合に、記録領域の外周端の位置ＰＯと今回の検出位置との中央位置に次の検出位置が設定される（図４及び図６のステップＳ２１７参照）ため、第０層及び第１層からなる２層に記録することが可能に構成されると共に、第０層の内周側から外周側へ順に記録された後、第１層の外周側から内周側へ記録される光ディスク２（ここでは、ＤＶＤ−Ｒ）の記録領域に記録された情報の終端を更に効率的に特定することができる。
【００８２】
すなわち、第０層及び第１層の記録情報が有ると検出され、且つ、前回の検出において、第０層及び第１層の記録情報が有ると検出された場合に、記録領域の内周端と今回の検出位置との中央位置に次の検出位置が設定され（図３及び図６のステップＳ２１７参照）、第０層の記録情報が有り且つ第１層の記録情報が無いと検出され、且つ、前回の検出において、第０層の記録情報が有り且つ第１層の記録情報が無いと検出された場合に、記録領域の外周端と今回の検出位置との中央位置に次の検出位置が設定される（図４及び図６のステップＳ２１７参照）ため、記録情報の有無を１回検出する度に終端位置を検索する半径方向の範囲を１／２に縮小する（＝検索する記録領域を１／２に縮小する）ことができるので、第０層及び第１層からなる２層に記録することが可能に構成されると共に、第０層の内周側から外周側へ順に記録された後、第１層の外周側から内周側へ記録される光ディスク２（ここでは、ＤＶＤ−Ｒ）の記録領域に記録された情報の終端を更に効率的に特定することができるのである。
【００８３】
また、前回の検出位置と設定された検出位置との間に形成された記録領域の容量が予め設定された所定閾値（ここでは、１００セクタ）以下であるか否かが判定され、所定閾値以下であると判定された場合に、前回の検出位置と設定された検出位置との間に形成された記録領域がセクタ毎に各層の記録情報の有無が検出され、その検出結果に基づいて記録情報の終端位置が検出される（図５のステップＳ１０５、Ｓ１０７参照）ため、多層記録可能な光ディスク２（ここでは、ＤＶＤ−Ｒ）の記録領域に記録された情報の終端を更に効率的に特定することができる。
【００８４】
すなわち、所定閾値を適正な値（ここでは、１００セクタ）に設定することによって、設定された検出位置で記録情報の有無を検出する方式からセクタ毎連続して記録情報の有無を検出する方式へ適正なタイミングで切り換えられるため、多層記録可能な光ディスク２（ここでは、ＤＶＤ−Ｒ）の記録領域に記録された情報の終端を更に効率的に特定することができるのである。
【００８５】
更に、光ディスク２がＤＶＤ−Ｒ又はＤＶＤ＋Ｒであるため、光ディスク２の記録領域に記録された情報の終端を効率的に特定する効果が更に増大する。
【００８６】
すなわち、光ディスク２がＤＶＤ−Ｒ又はＤＶＤ＋Ｒである場合には、光ディスク２への記録が１回限りであるため、他の種類の光ディスクと比較して、上書き及び未記録領域の発生を確実に防止する必要があるので、記録領域に記録された情報の終端を正確に特定する必要があるのである。
【００８７】
なお、本発明は、以下の形態にも適用可能である。
（Ａ）本実施形態では、光ディスク記録装置が、ＤＶＤレコーダ１００である場合について説明したが、光ディスク記録装置が、光ピップアップを介して予め設定された２以上の所定数の層に記録可能な光ディスクに情報を記録する装置であればよい。例えば、光ディスク記録装置が、ＤＶＤに情報を記録する機能を備えたパーソナルコンピュータである形態でもよい。
【００８８】
（Ｂ）本実施形態では、ＤＳＰ３２が、検索範囲判定部３２１、有無検出部３２２、検出位置設定部３２３、駆動指示部３２４、容量判定部３２５、終端検出部３２６等の機能部として機能する場合について説明したが、少なくとも１の機能部が回路等のハードウェアによって実現されている形態でもよい。
【００８９】
（Ｃ）本実施形態では、光ディスク２が、ＤＶＤ−Ｒである場合について説明したが、光ディスク２が２以上の所定数の層に記録可能な光ディスクであればよい。例えば、光ディスク２が、３つの層に記録可能な形態でもよい。
【図面の簡単な説明】
【００９０】
【図１】は、本発明に係るＤＶＤレコーダの一例を示す構成図である。
【図２】は、ＤＶＤレコーダ（ＤＳＰ）における主要部の機能構成の一例を示す構成図である。
【図３】は、検出位置設定部によって設定される検出位置の一例を示す図である。
【図４】は、検出位置設定部によって設定される検出位置の別の一例を示す図である。
【図５】は、本発明に係るＤＶＤレコーダ（主にＤＳＰ）の動作の一例を示すフローチャートである。
【図６】は、図５に示すフローチャートのステップＳ１０３において実行される粗検索処理の一例を示すフローチャート（第１部）である。
【図７】は、図５に示すフローチャートのステップＳ１０３において実行される粗検索処理の一例を示すフローチャート（第２部）である。
【図８】は、図５に示すフローチャートのステップＳ１０３において実行される粗検索処理の一例を示すフローチャート（第３部）である。
【符号の説明】
【００９１】
１００    ＤＶＤレコーダ（光ディスク記録装置）
１    光ピックアップ
３    出力装置
３２    ＤＳＰ
３２１    検索範囲判定部（検索範囲判定手段）
３２２    有無検出部（有無検出手段）
３２３    検出位置設定部（検出位置設定手段）
３２４    駆動指示部（駆動手段の一部）
３２５    容量判定部（容量判定手段）
３２６    終端検出部（終端検出手段）
４    制御装置
４２    ドライバＩＣ（駆動手段の一部）
５    駆動装置
５１    スレッドモータ（駆動手段の一部）
５２    スピンドルモータ
【図１】
2008262606.tif 000003
【図２】
2008262606.tif 000004
【図３】
2008262606.tif 000005
【図４】
2008262606.tif 000006
【図５】
2008262606.tif 000007
【図６】
2008262606.tif 000008
【図７】
2008262606.tif 000009
【図８】
2008262606.tif 000010